(57)【要約】【課題】  機器に割り当てられるローカルＩＰアドレスが変更される可能性が存在する場合であっても、機器を適切に管理することを可能とする管理システム、管理方法及び制御装置を提供する。【解決手段】  ＥＭＳ２００は、ＥＭＳ２００に新たに接続された蓄電池装置１４０の検出に応じて、蓄電池装置１４０の識別情報を確認するための画像を含む初期設定画面を表示する。識別情報は、動的アドレスとは別に定義される不変の情報である。【選択図】  図５
2014072590.tif 000002
【特許請求の範囲】
【請求項１】
動的アドレスが動的に割り当てられる機器と、前記機器に割り当てられた動的アドレスを用いて、所定ネットワークを介して前記機器と通信を行う制御装置とを有する管理システムであって、
前記制御装置は、前記制御装置に新たに接続された前記機器の検出に応じて表示すべき設定画面の表示制御を行う表示制御部を備え、
前記設定画面は、前記機器を識別する識別情報を前記制御装置に登録するための画面であり、前記識別情報を確認するための画像を含み、
前記識別情報は、前記動的アドレスとは別に定義される不変の情報であることを特徴とする管理システム。
【請求項２】
前記機器は、需要家に設けられる負荷或いは分散電源であり、
前記制御装置は、前記需要家に設けられ、前記負荷或いは前記分散電源の電力状態を制御することによって、前記需要家内のエネルギー状態を管理することを特徴とする請求項１に記載の管理システム。
【請求項３】
前記所定ネットワークとは別に、前記機器と前記制御装置とを接続するインタフェースが設けられることを特徴とする請求項１または２に記載の管理システム。
【請求項４】
前記制御装置は、前記制御装置に新たに接続された前記機器の検出に応じて、前記機器を識別する識別情報を要求する識別情報要求メッセージを送信する送信部と、
前記識別情報を含む識別情報通知メッセージを前記機器から受信する受信部とを備え、
前記表示制御部は、前記識別情報通知メッセージの受信に応じて、前記識別情報を自動的に表示するように、前記設定画面の表示制御を行うことを特徴とする請求項３に記載の管理システム。
【請求項５】
前記表示制御部は、前記識別情報の入力を促す画像を含むように、前記設定画面の表示制御を行うことを特徴とする請求項３に記載の管理システム。
【請求項６】
前記所定ネットワークは、ＥＣＨＯＮＥＴ  Ｌｉｔｅ方式の通信プロトコルに準拠するネットワークであることを特徴とする請求項１から５のいずれか一項に記載の管理システム。
【請求項７】
動的アドレスが動的に割り当てられる機器と、前記機器に割り当てられた動的アドレスを用いて、所定ネットワークを介して前記機器と通信を行う制御装置とを有する管理システムで用いる管理方法であって、
前記制御装置に新たに接続された前記機器の検出に応じて表示すべき設定画面の表示制御を行うステップを備え、
前記設定画面は、前記機器を識別する識別情報を前記制御装置に登録するための画面であり、前記識別情報を確認するための画像を含み、
前記識別情報は、前記動的アドレスとは別に定義される不変の情報であることを特徴とする管理方法。
【請求項８】
機器に動的に割り当てられた動的アドレスを用いて、所定ネットワークを介して前記機器と通信を行う制御装置であって、
前記制御装置に新たに接続された前記機器の検出に応じて表示すべき設定画面の表示制御を行う表示制御部を備え、
前記設定画面は、前記機器を識別する識別情報を前記制御装置に登録するための画面であり、前記識別情報を確認するための画像を含み、
前記識別情報は、前記動的アドレスとは別に定義される不変の情報であることを特徴とする制御装置。
【発明の詳細な説明】
【技術分野】
【０００１】
本発明は、動的アドレスが動的に割り当てられる機器と、機器に割り当てられた動的アドレスを用いて、所定ネットワークを介して機器と通信を行う制御装置とを有する管理システム、管理方法及び制御装置に関する。
【背景技術】
【０００２】
近年、複数の機器と、複数の機器を制御する制御装置とを有する電力管理システムが提案されている（例えば、特許文献１）。複数の機器は、例えば、エアーコンディショナー、照明などの家電機器、及び、太陽電池装置、蓄電池装置、燃料電池装置などの分散電源である。制御装置は、例えば、ＨＥＭＳ（Ｈｏｍｅ  Ｅｎｅｒｇｙ  Ｍａｎａｇｅｍｅｎｔ  Ｓｙｓｔｅｍ）、ＳＥＭＳ（Ｓｔｏｒｅ  Ｅｎｅｒｇｙ  Ｍａｎａｇｅｍｅｎｔ  Ｓｙｓｔｅｍ）、ＢＥＭＳ（Ｂｕｉｌｄｉｎｇ  Ｅｎｅｒｇｙ  Ｍａｎａｇｅｍｅｎｔ  Ｓｙｓｔｅｍ）、ＦＥＭＳ（Ｆａｃｔｏｒｙ  Ｅｎｅｒｇｙ  Ｍａｎａｇｅｍｅｎｔ  Ｓｙｓｔｅｍ）、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）などと称される。
【０００３】
上述した管理システムの普及には、複数の機器と制御装置との間のメッセージフォーマットを共通化することが効果的であり、このようなメッセージフォーマットの共通化が試みられている。
【先行技術文献】
【特許文献】
【０００４】
【特許文献１】特開２０１０−１２８８１０号公報
【発明の概要】
【発明が解決しようとする課題】
【０００５】
ところで、上述した管理システムでは、複数の機器及び制御装置は、グローバルＩＰアドレスが割り当てられたルータを介して接続されることが想定される。このようなケースでは、ルータは、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバとして機能し、複数の機器及び制御装置に対して、ローカルＩＰアドレスを割り当てる。すなわち、複数の機器のローカルＩＰアドレスが変更される可能性が存在する。このようなケースにおいて、機器をローカルＩＰアドレスによって制御装置が管理している場合には、機器に割り当てられたローカルＩＰアドレスの変更によって、制御装置が機器を適切に管理できない可能性が存在する。
【０００６】
そこで、本発明は、上述した課題を解決するためになされたものであり、機器に割り当てられるローカルＩＰアドレスが変更される可能性が存在する場合であっても、機器を適切に管理することを可能とする管理システム、管理方法及び制御装置を提供することを目的とする。
【課題を解決するための手段】
【０００７】
第１の特徴に係る管理システムは、動的アドレスが動的に割り当てられる機器と、前記機器に割り当てられた動的アドレスを用いて、所定ネットワークを介して前記機器と通信を行う制御装置とを有する。管理システムは、前記制御装置は、前記制御装置に新たに接続された前記機器の検出に応じて表示すべき設定画面の表示制御を行う表示制御部を備える。前記設定画面は、前記機器を識別する識別情報を前記制御装置に登録するための画面であり、前記識別情報を確認するための画像を含む。前記識別情報は、前記動的アドレスとは別に定義される不変の情報である。
【０００８】
第１の特徴において、前記機器は、需要家に設けられる負荷或いは分散電源である。前記制御装置は、前記需要家に設けられ、前記負荷或いは前記分散電源の電力状態を制御することによって、前記需要家内のエネルギー状態を管理する。
【０００９】
第１の特徴において、前記所定ネットワークとは別に、前記機器と前記制御装置とを接続するインタフェースが設けられる。
【００１０】
第１の特徴において、前記制御装置は、前記制御装置に新たに接続された前記機器の検出に応じて、前記機器を識別する識別情報を要求する識別情報要求メッセージを送信する送信部と、前記識別情報を含む識別情報通知メッセージを前記機器から受信する受信部とを備える。前記表示制御部は、前記識別情報通知メッセージの受信に応じて、前記識別情報を自動的に表示するように、前記設定画面の表示制御を行う。
【００１１】
第１の特徴において、前記表示制御部は、前記識別情報の入力を促す画像を含むように、前記設定画面の表示制御を行う。
【００１２】
第１の特徴において、前記所定ネットワークは、ＥＣＨＯＮＥＴ  Ｌｉｔｅ方式の通信プロトコルに準拠するネットワークである。
【００１３】
第２の特徴に係る管理方法は、動的アドレスが動的に割り当てられる機器と、前記機器に割り当てられた動的アドレスを用いて、所定ネットワークを介して前記機器と通信を行う制御装置とを有する管理システムで用いる。管理方法は、前記制御装置に新たに接続された前記機器の検出に応じて表示すべき設定画面の表示制御を行うステップを備える。前記設定画面は、前記機器を識別する識別情報を前記制御装置に登録するための画面であり、前記識別情報を確認するための画像を含む。前記識別情報は、前記動的アドレスとは別に定義される不変の情報である。
【００１４】
第３の特徴に係る制御装置は、機器に動的に割り当てられた動的アドレスを用いて、所定ネットワークを介して前記機器と通信を行う。制御装置は、前記制御装置に新たに接続された前記機器の検出に応じて表示すべき設定画面の表示制御を行う。前記設定画面は、前記機器を識別する識別情報を前記制御装置に登録するための画面であり、前記識別情報を確認するための画像を含む。前記識別情報は、前記動的アドレスとは別に定義される不変の情報である。
【発明の効果】
【００１５】
本発明によれば、機器に割り当てられるローカルＩＰアドレスが変更される可能性が存在する場合であっても、機器を適切に管理することを可能とする管理システム、管理方法及び制御装置を提供することができる。
【図面の簡単な説明】
【００１６】
【図１】図１は、第１実施形態に係るエネルギー管理システム１００を示す図である。
【図２】図２は、第１実施形態に係る需要家１０を示す図である。
【図３】図３は、第１実施形態に係るネットワーク構成を示す図である。
【図４】図４は、第１実施形態に係る適用ケースを示す図である。
【図５】図５は、第１実施形態に係るＥＭＳ２００を示す図である。
【図６】図６は、第１実施形態に係る蓄電池装置１４０を示す図である。
【図７】図７は、第１実施形態に係る設定画面を示す図である。
【図８】図８は、第１実施形態に係る設定画面を示す図である。
【図９】図９は、第１実施形態に係る設定画面を示す図である。
【図１０】図１０は、第１実施形態に係る管理方法を示すシーケンス図である。
【図１１】図１１は、第１実施形態に係る管理方法を示すシーケンス図である。
【発明を実施するための形態】
【００１７】
以下において、本発明の実施形態に係る管理システムについて、図面を参照しながら説明する。なお、以下の図面の記載において、同一又は類似の部分には、同一又は類似の符号を付している。
【００１８】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１９】
［実施形態の概要］
実施形態に係る管理システムは、動的アドレスが動的に割り当てられる機器と、前記機器に割り当てられた動的アドレスを用いて、所定ネットワークを介して前記機器と通信を行う制御装置とを有する。管理システムは、前記制御装置は、前記制御装置に新たに接続された前記機器の検出に応じて表示すべき設定画面の表示制御を行う表示制御部を備える。前記設定画面は、前記機器を識別する識別情報を前記制御装置に登録するための画面であり、前記識別情報を確認するための画像を含む。前記識別情報は、前記動的アドレスとは別に定義される不変の情報である。
【００２０】
実施形態では、制御装置は、制御装置に新たに接続された機器の検出に応じて、機器の識別情報を確認するための画像を含む初期設定画面を表示する。これによって、動的アドレスとは別に定義される不変の情報である識別情報に基づいて機器を管理することができる。従って、機器に割り当てられる動的アドレス（例えば、ローカルＩＰアドレス）が変更される可能性が存在する場合であっても、機器を適切に管理することができる。
【００２１】
ここで、所定ネットワークは、所定プロトコルに準拠するネットワークである。所定プロトコルとしては、例えば、“ＥＣＨＯＮＥＴ  Ｌｉｔｅ”又は“ＥＣＨＯＮＥＴ”と呼ばれるプロトコルが挙げられる。しかしながら、実施形態は、これに限定されるものではなく、所定プロトコルは、“ＥＣＨＯＮＥＴ  Ｌｉｔｅ”及び“ＥＣＨＯＮＥＴ”以外のプロトコルであってもよい。但し、所定ネットワークでは、動的アドレスを用いて通信が行われることに留意すべきである。
【００２２】
［第１実施形態］
（エネルギー管理システム）
以下において、第１実施形態に係るエネルギー管理システムについて説明する。図１は、第１実施形態に係るエネルギー管理システム１００を示す図である。
【００２３】
図１に示すように、エネルギー管理システム１００は、需要家１０と、ＣＥＭＳ２０と、変電所３０と、スマートサーバ４０と、発電所５０とを有する。なお、需要家１０、ＣＥＭＳ２０、変電所３０及びスマートサーバ４０は、ネットワーク６０によって接続されている。
【００２４】
需要家１０は、例えば、発電装置及び蓄電装置を有する。発電装置は、例えば、燃料電池のように、燃料ガスを利用して電力を出力する装置である。蓄電装置は、例えば、二次電池などのように、電力を蓄積する装置である。
【００２５】
需要家１０は、一戸建ての住宅であってもよく、マンションなどの集合住宅であってもよい。或いは、需要家１０は、コンビニエンスストア又はスーパーマーケットなどの店舗であってもよく、ビルなどの商用施設であってもよく、工場であってもよい。
【００２６】
第１実施形態では、複数の需要家１０によって、需要家群１０Ａ及び需要家群１０Ｂが構成されている。需要家群１０Ａ及び需要家群１０Ｂは、例えば、地理的な地域によって分類される。
【００２７】
ＣＥＭＳ２０は、複数の需要家１０と電力系統との間の連系を制御する。なお、ＣＥＭＳ２０は、複数の需要家１０を管理するため、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）と称されることもある。具体的には、ＣＥＭＳ２０は、停電時などにおいて、複数の需要家１０と電力系統との間を解列する。一方で、ＣＥＭＳ２０は、復電時などにおいて、複数の需要家１０と電力系統との間を連系する。
【００２８】
第１実施形態では、ＣＥＭＳ２０Ａ及びＣＥＭＳ２０Ｂが設けられている。ＣＥＭＳ２０Ａは、例えば、需要家群１０Ａに含まれる需要家１０と電力系統との間の連系を制御する。ＣＥＭＳ２０Ｂは、例えば、需要家群１０Ｂに含まれる需要家１０と電力系統との間の連系を制御する。
【００２９】
変電所３０は、複数の需要家１０に対して、配電線３１を介して電力を供給する。具体的には、変電所３０は、発電所５０から供給を受ける電圧を降圧する。
【００３０】
第１実施形態では、変電所３０Ａ及び変電所３０Ｂが設けられている。変電所３０Ａは、例えば、需要家群１０Ａに含まれる需要家１０に対して、配電線３１Ａを介して電力を供給する。変電所３０Ｂは、例えば、需要家群１０Ｂに含まれる需要家１０に対して、配電線３１Ｂを介して電力を供給する。
【００３１】
スマートサーバ４０は、複数のＣＥＭＳ２０（ここでは、ＣＥＭＳ２０Ａ及びＣＥＭＳ２０Ｂ）を管理する。また、スマートサーバ４０は、複数の変電所３０（ここでは、変電所３０Ａ及び変電所３０Ｂ）を管理する。言い換えると、スマートサーバ４０は、需要家群１０Ａ及び需要家群１０Ｂに含まれる需要家１０を統括的に管理する。スマートサーバ４０は、例えば、需要家群１０Ａに供給すべき電力と需要家群１０Ｂに供給すべき電力とのバランスを取る機能を有する。
【００３２】
発電所５０は、火力、風力、水力、原子力などによって発電を行う。発電所５０は、複数の変電所３０（ここでは、変電所３０Ａ及び変電所３０Ｂ）に対して、送電線５１を介して電力を供給する。
【００３３】
ネットワーク６０は、信号線を介して各装置に接続される。ネットワーク６０は、例えば、インターネット、広域回線網、狭域回線網、携帯電話網などである。
【００３４】
（需要家）
以下において、第１実施形態に係る需要家について説明する。図２は、第１実施形態に係る需要家１０の詳細を示す図である。
【００３５】
図２に示すように、需要家１０は、分電盤１１０と、負荷１２０と、ＰＶ装置１３０と、蓄電池装置１４０と、燃料電池装置１５０と、貯湯装置１６０と、ＥＭＳ２００とを有する。
【００３６】
第１実施形態において、需要家１０は、電流計１８０、電流計１８１及び電流計１８２を有する。
【００３７】
電流計１８０は、燃料電池装置１５０の負荷追従制御に用いられる。電流計１８０は、各機器（例えば、蓄電池装置１４０及び燃料電池装置１５０）と系統とを接続する電力線上において、蓄電池装置１４０と電力線との接続点よりも下流（系統から離れた側）、かつ、燃料電池装置１５０と電力線との接続点よりも上流（系統に近い側）に設けられる。電流計１８０が負荷１２０と電力線との接続点よりも上流（系統に近い側）に設けられることは勿論である。
【００３８】
電流計１８１は、蓄電池装置１４０から系統への電力の流れ（逆潮流）の有無の確認に用いられる。電流計１８１は、各機器（例えば、蓄電池装置１４０）と系統とを接続する電力線上において、蓄電池装置１４０と電力線との接続点よりも上流（系統に近い側）に設けられる。
【００３９】
電流計１８２は、ＰＶ装置１３０によって発電された電力の計測に用いられる。電流計１８２は、各機器（例えば、ＰＶ装置１３０）と系統とを接続する電力線とＰＶ装置１３０との接続点よりもＰＶ装置１３０側に設けられる。
【００４０】
第１実施形態において、各機器は、系統に近い順から見て、ＰＶ装置１３０、蓄電池装置１４０、燃料電池装置１５０及び負荷１２０の順で電力線に接続されていることに留意すべきである。
【００４１】
分電盤１１０は、配電線３１（系統）に接続されている。分電盤１１０は、電力線を介して、負荷１２０、ＰＶ装置１３０、蓄電池装置１４０及び燃料電池装置１５０に接続されている。
【００４２】
負荷１２０は、電力線を介して供給を受ける電力を消費する装置である。例えば、負荷１２０は、冷蔵庫、冷凍庫、照明、エアーコンディショナーなどの装置を含む。
【００４３】
ＰＶ装置１３０は、ＰＶ１３１と、ＰＣＳ１３２とを有する。ＰＶ１３１は、発電装置の一例であり、太陽光の受光に応じて発電を行う太陽光発電装置である。ＰＶ１３１は、発電されたＤＣ電力を出力する。ＰＶ１３１の発電量は、ＰＶ１３１に照射される日射量に応じて変化する。ＰＣＳ１３２は、ＰＶ１３１から出力されたＤＣ電力をＡＣ電力に変換する装置（Ｐｏｗｅｒ  Ｃｏｎｄｉｔｉｏｎｉｎｇ  Ｓｙｓｔｅｍ）である。ＰＣＳ１３２は、電力線を介してＡＣ電力を分電盤１１０に出力する。
【００４４】
第１実施形態において、ＰＶ装置１３０は、ＰＶ１３１に照射される日射量を測定する日射計を有していてもよい。
【００４５】
ＰＶ装置１３０は、ＭＰＰＴ（Ｍａｘｉｍｕｍ  Ｐｏｗｅｒ  Ｐｏｉｎｔ  Ｔｒａｃｋｉｎｇ）法によって制御される。詳細には、ＰＶ装置１３０は、ＰＶ１３１の動作点（動作点電圧値及び電力値によって定まる点、又は、動作点電圧値と電流値とによって定まる点）を最適化する。
【００４６】
蓄電池装置１４０は、蓄電池１４１と、ＰＣＳ１４２とを有する。蓄電池１４１は、電力を蓄積する装置である。ＰＣＳ１４２は、配電線３１（系統）から供給を受けるＡＣ電力をＤＣ電力に変換する装置（Ｐｏｗｅｒ  Ｃｏｎｄｉｔｉｏｎｉｎｇ  Ｓｙｓｔｅｍ）である。また、ＰＣＳ１４２は、蓄電池１４１から出力されたＤＣ電力をＡＣ電力に変換する。
【００４７】
燃料電池装置１５０は、燃料電池１５１と、ＰＣＳ１５２とを有する。燃料電池１５１は、発電装置の一例であり、燃料（ガス）を用いて電力を発電する装置である。ＰＣＳ１５２は、燃料電池１５１から出力されたＤＣ電力をＡＣ電力に変換する装置（Ｐｏｗｅｒ  Ｃｏｎｄｉｔｉｏｎｉｎｇ  Ｓｙｓｔｅｍ）である。
【００４８】
燃料電池装置１５０は、負荷追従制御によって動作する。詳細には、燃料電池装置１５０は、燃料電池１５１から出力する電力が負荷追従制御の目標電力となるように燃料電池１５１を制御する。言い換えると、燃料電池装置１５０は、電流センサーによって検出される電流値が目標受電力となるように、燃料電池１５１から出力する電力を制御する。
【００４９】
貯湯装置１６０は、燃料（ガス）を用いて湯を生成或いは水温を維持する装置である。具体的には、貯湯装置１６０は、貯湯槽を有しており、燃料（ガス）の燃焼によって生じる熱又は燃料電池１５１の運転（発電）によって生じる排熱によって、貯湯槽から供給される水を温める。詳細には、貯湯装置１６０は、貯湯槽から供給される水を温めて、温められた湯を貯湯槽に還流する。
【００５０】
実施形態において、燃料電池装置１５０及び貯湯装置１６０は、給湯ユニット１７０（給湯システム）を構成することに留意すべきである。
【００５１】
ＥＭＳ２００は、需要家１０に設けられ、負荷１２０或いは分散電源（ＰＶ装置１３０、蓄電池装置１４０又は燃料電池装置１５０）の電力状態を制御することによって、需要家１０内のエネルギー状態を管理する。具体的には、ＥＭＳ２００は、ＰＶ装置１３０、蓄電池装置１４０、燃料電池装置１５０及び貯湯装置１６０を制御する装置（Ｅｎｅｒｇｙ  Ｍａｎａｇｅｍｅｎｔ  Ｓｙｓｔｅｍ）である。具体的には、ＥＭＳ２００は、ＰＶ装置１３０、蓄電池装置１４０、燃料電池装置１５０及び貯湯装置１６０に信号線を介して接続されており、ＰＶ装置１３０、蓄電池装置１４０、燃料電池装置１５０及び貯湯装置１６０を制御する。また、ＥＭＳ２００は、負荷１２０の動作モードを制御することによって、負荷１２０の消費電力を制御する。
【００５２】
また、ＥＭＳ２００は、ネットワーク６０を介して各種サーバと接続される。各種サーバは、例えば、系統から供給を受ける電力の購入単価、系統から供給を受ける電力の売却単価、燃料ガスの購入単価などの情報（以下、エネルギー料金情報）を格納する。
【００５３】
或いは、各種サーバは、例えば、負荷１２０の消費電力を予測するための情報（以下、消費エネルギー予測情報）を格納する。消費エネルギー予測情報は、例えば、過去の負荷１２０の消費電力の実績値に基づいて生成されてもよい。或いは、消費エネルギー予測情報は、負荷１２０の消費電力のモデルであってもよい。
【００５４】
或いは、各種サーバは、例えば、ＰＶ１３１の発電量を予測するための情報（以下、ＰＶ発電量予測情報）を格納する。ＰＶ発電予測情報は、ＰＶ１３１に照射される日射量の予測値であってもよい。或いは、ＰＶ発電予測情報は、天気予報、季節、日照時間などであってもよい。
【００５５】
（ネットワーク構成）
以下において、第１実施形態に係るネットワーク構成について説明する。図３は、第１実施形態に係るネットワーク構成を示す図である。
【００５６】
図３に示すように、ネットワークは、負荷１２０、ＰＶ装置１３０、蓄電池装置１４０、燃料電池装置１５０、貯湯装置１６０、ＥＭＳ２００及びユーザ端末３００によって構成される。ユーザ端末３００は、ユーザ端末３１０及びユーザ端末３２０を含む。
【００５７】
ユーザ端末３１０は、ＥＭＳ２００と接続されており、各機器（負荷１２０、ＰＶ装置１３０、蓄電池装置１４０、燃料電池装置１５０、貯湯装置１６０）の消費エネルギーを可視化するための情報（以下、可視化情報）をウェブブラウザによって表示する。このようなケースにおいて、ＥＭＳ２００は、ＨＴＭＬ等の形式で可視化情報を生成して、生成された可視化情報をユーザ端末３１０に送信する。ユーザ端末３１０とＥＭＳ２００との間の接続形式は、有線であってもよく、無線であってもよい。ユーザ端末３１０は、例えば、パーソナルコンピュータである。
【００５８】
ユーザ端末３２０は、ＥＭＳ２００と接続されており、可視化情報をアプリケーションによって表示する。このようなケースにおいて、ＥＭＳ２００は、各機器の消費エネルギーを示す情報をユーザ端末３２０に送信する。ユーザ端末３２０のアプリケーションは、ＥＭＳ２００から受信する情報に基づいて可視化情報を生成して、生成された可視化情報を表示する。ユーザ端末３２０とＥＭＳ２００との間の接続形式は、有線であってもよく、無線であってもよい。ユーザ端末３２０は、例えば、スマートフォンである。
【００５９】
上述したように、第１実施形態では、燃料電池装置１５０及び貯湯装置１６０が給湯ユニット１７０を構成する。従って、貯湯装置１６０は、ＥＭＳ２００と通信を行う機能を有していなくてもよい。このようなケースでは、燃料電池装置１５０は、貯湯装置１６０を代理して、貯湯装置１６０に関するメッセージの通信をＥＭＳ２００と行う。
【００６０】
第１実施形態において、ＥＭＳ２００と各機器（負荷１２０、ＰＶ装置１３０、蓄電池装置１４０、燃料電池装置１５０、貯湯装置１６０）との間の通信は、所定プロトコルに従って方式で行われる。所定プロトコルとしては、例えば、“ＥＣＨＯＮＥＴ  Ｌｉｔｅ”又は“ＥＣＨＯＮＥＴ”と呼ばれるプロトコルが挙げられる。しかしながら、実施形態は、これに限定されるものではなく、所定プロトコルは、“ＥＣＨＯＮＥＴ  Ｌｉｔｅ”及び“ＥＣＨＯＮＥＴ”以外のプロトコルであってもよい。
【００６１】
（適用ケース）
以下において、第１実施形態に係る適用ケースについて説明する。図４は、第１実施形態に係る適用ケースを示す図である。図４では、ＰＶ装置１３０、蓄電池装置１４０、ＥＭＳ２００及びユーザ端末３００によって構成されるネットワークについて主として説明する。
【００６２】
ここで、図４では、ユーザ端末３００として、ユーザ端末３１０及びユーザ端末３２０に加えて、ユーザ端末３３０及びユーザ端末３４０が設けられている。ユーザ端末３３０は、ユーザ端末３２０と同様に、可視化情報を表示するアプリケーションを有するタブレット端末である。ユーザ端末３４０は、ユーザ端末３１０と同様に、可視化情報を表示するウェブブラウザを有するディスプレイである。
【００６３】
図４に示すように、ネットワークは、不変アドレス（例えば、グローバルＩＰアドレス）が割当てられるルータ５００を有する。ルータ５００には、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバとして機能し、ＰＶ装置１３０、蓄電池装置１４０、ＥＭＳ２００及びユーザ端末３００に対して、動的アドレス（例えば、ローカルＩＰアドレス）を割り当てる。図３に示すネットワークでは、ルータ５００によって割当てられた動的アドレスを用いて通信が行われる。動的アドレスを用いて通信が行われるネットワークは、上述したように、“ＥＣＨＯＮＥＴ  Ｌｉｔｅ”又は“ＥＣＨＯＮＥＴ”などの所定プロトコルに準拠している。但し、ＥＭＳ２００とユーザ端末３００との間の通信は、“ＥＣＨＯＮＥＴ  Ｌｉｔｅ”又は“ＥＣＨＯＮＥＴ”などの所定プロトコルに準拠していなくてよい。
【００６４】
第１実施形態では、ＰＣＳ１３２及びＰＣＳ１４２は、インタフェース４１１によって接続される。ＰＣＳ１４２及びＥＭＳ２００は、インタフェース４１２によって接続される。インタフェース４１１及びインタフェース４１２は、有線インタフェースであり、蓄電池装置１４０（或いは、ＰＶ装置１３０）の設計者によって定義される。
【００６５】
ルータ５００及びＰＣＳ１４２は、無線回線４２１によって接続される。ルータ５００及びユーザ端末３００（ここでは、ユーザ端末３１０、ユーザ端末３２０及びユーザ端末３３０）は、無線回線４２２によって接続される。無線回線４２１及び無線回線４２２は、有線ケーブルに置き換えられてもよい。
【００６６】
ＥＭＳ２００及びルータ５００は、有線ケーブル４３１によって接続される。ルータ５００及びユーザ端末３００（ここでは、ユーザ端末３４０）は、有線ケーブル４３２によって接続される。有線ケーブル４３１及び有線ケーブル４３２は、無線回線によって置き換えられてもよい。
【００６７】
このようなケースにおいて、比較的に短い間隔で伝達する必要がある情報は、インタフェース４１１及びインタフェース４１２を介して、ＰＣＳ１３２からＥＭＳ２００に送信されることが好ましい。同様に、比較的に短い間隔で伝達する必要がある情報は、インタフェース４１１及びインタフェース４１２を介して、ＰＣＳ１３２からＥＭＳ２００に送信されることが好ましい。例えば、ＰＶ装置１３０のステータス（出力電力など）を示す情報は、インタフェース４１１及びインタフェース４１２を介して、ＰＣＳ１３２からＥＭＳ２００に送信されることが好ましい。蓄電池装置１４０のステータス（充電電力又は放電電力など）を示す情報は、インタフェース４１２を介して、ＰＣＳ１４２からＥＭＳ２００に送信される。
【００６８】
一方で、比較的に長い間隔で伝達することが許容される情報は、無線回線４２１を介して、ＥＭＳ２００からＰＣＳ１４２に送信されることが好ましい。蓄電池装置１４０の動作（充電又は放電など）を指示するコマンドは、無線回線４２１及び有線ケーブル４３１を介して、ＥＭＳ２００からＰＣＳ１４２に送信される。或いは、蓄電池装置１４０の運転モードを指示するコマンドは、無線回線４２１及び有線ケーブル４３１を介して、ＥＭＳ２００からＰＣＳ１４２に送信される。
【００６９】
蓄電池装置１４０の運転モードは、系統連系状態の運転モードと、自立運転状態の運転モードとを含む。系統連系状態は、蓄電池装置１４０と系統とが並列された状態である。一方で、自立運転状態は、蓄電池装置１４０と系統とが解列された状態である。自立運転状態の一例としては、例えば、停電が生じた状態が考えられる。
【００７０】
系統連系状態の運転モードは、（ａ）ＰＶ装置１３０によって発電された電力の売電（逆潮流）を優先するように、蓄電池１４１の充放電を制御する運転モード（太陽光買電優先モード）、（ｂ）ＰＶ装置１３０によって発電された電力を蓄電池１４１に充電するように、蓄電池１４１の充放電を制御する運転モード（太陽光充電モード）、（ｃ）系統から供給される電力が一定値を超えないように、蓄電池１４１の充放電を制御する運転モード（ピークカットモード）、（ｄ）系統から供給される電力の単価が閾値よりも低い期間（例えば、夜間）において、系統から供給される電力を蓄電池１４１に充電するように、蓄電池１４１の充放電を制御する運転モード（深夜電力活用モード）、（ｅ）蓄電池１４１に電力を強制的に蓄積する運転モード（強制蓄電モード）、（ｆ）蓄電池１４１に蓄積された電力を強制的に放電する運転モード（強制放電モード）などである。
【００７１】
ここで、（ａ）太陽光買電優先モード及び（ｂ）太陽光充電モードにおいては、蓄電池装置１４０は、電流計１８２によって計測される電流を監視して、ＰＶ装置１３０の発電量に応じて、蓄電池１４１の充放電を制御する必要がある。ＰＶ装置１３０の発電量は、時々刻々と変化するため、これらの運転モードは、蓄電池装置１４０によって制御されることが好ましい。
【００７２】
同様に、（ｃ）ピークカットモードにおいては、蓄電池装置１４０は、電流計１８１及び電流計１８２によって計測される電流を監視して、系統から供給される電力量に応じて、蓄電池１４１の充放電を制御する必要がある。系統から供給される電力量は、電流計１８１によって計測される電力から電流計１８２によって計測された電力を除いた値である。ＰＶ装置１３０の発電量及び負荷１２０の消費電力は、時々刻々と変化するため、この運転モードは、蓄電池装置１４０によって制御されることが好ましい。
【００７３】
第１実施形態において、（ａ）太陽光買電優先モード、（ｂ）太陽光充電モード及び（ｃ）ピークカットモードは、蓄電池１４１以外のＰＶ１３１と蓄電池１４１が連携する運転モードの一例である。
【００７４】
自立運転状態の運転モードは、（ｇ）ＰＶ装置１３０によって発電された電力を蓄積する運転モード（以下、自立蓄電モード）、（ｈ）蓄電池装置１４０に設けられた自立コンセントに接続された負荷１２０に電力を供給する運転モード（以下、自立供給モード）、（ｉ）ＰＶ装置１３０によって発電された電力を蓄積しながら、蓄電池装置１４０に設けられた自立コンセントに接続された負荷１２０に電力を供給する運転モード（以下、自立蓄電供給モード）などである。
【００７５】
（ＥＭＳの構成）
以下において、第１実施形態に係るＥＭＳについて説明する。図５は、第１実施形態に係るＥＭＳ２００を示すブロック図である。
【００７６】
図５に示すように、ＥＭＳ２００は、受信部２１０と、送信部２２０と、制御部２３０とを有する。
【００７７】
受信部２１０は、信号線を介して接続された装置から各種信号を受信する。例えば、受信部２１０は、ＰＶ１３１の発電量を示す情報をＰＶ装置１３０から受信してもよい。受信部２１０は、蓄電池１４１の蓄電量を示す情報を蓄電池装置１４０から受信してもよい。受信部２１０は、燃料電池１５１の発電量を示す情報を燃料電池装置１５０から受信してもよい。受信部２１０は、貯湯装置１６０の貯湯量を示す情報を貯湯装置１６０から受信してもよい。
【００７８】
第１実施形態において、受信部２１０は、エネルギー料金情報、消費エネルギー予測情報及びＰＶ発電量予測情報を、ネットワーク６０を介して各種サーバから受信してもよい。但し、エネルギー料金情報、消費エネルギー予測情報及びＰＶ発電量予測情報は、予めＥＭＳ２００に記憶されていてもよい。
【００７９】
例えば、第１実施形態では、受信部２１０は、設計者によって定義されるインタフェース（インタフェース４１２）を介して、ＰＶ装置１３０及び蓄電池装置１４０のステータスを示す情報を受信する。
【００８０】
第１実施形態において、受信部２１０は、所定プロトコルに準拠するネットワーク（無線回線４２１）を介して、蓄電池装置１４０の種別を示す種別メッセージ（以下、インスタンスリスト）を受信する。受信部２１０は、所定プロトコルに準拠するネットワーク（無線回線４２１）を介して、蓄電池装置１４０を識別する識別情報を含む識別情報通知メッセージを受信する。識別情報は、蓄電池装置１４０に割当てられる動的アドレス（例えば、ローカルＩＰアドレス）とは別に定義される不変の情報である。識別情報は、例えば、蓄電池装置１４０の設計者によって割当てられるランダムな文字列であって、機器個別に割り当てられるユニークな文字列である。また、識別情報には様々な情報が含まれるよう規定されていてもよい。たとえば、識別情報の上位数桁には機器のメーカーコード、次の桁には設計者によって定義されるインタフェース（インタフェース４１２）の有無、といった情報が含まれているとより利便性が高い。
【００８１】
送信部２２０は、信号線を介して接続された装置に各種信号を送信する。例えば、送信部２２０は、ＰＶ装置１３０、蓄電池装置１４０、燃料電池装置１５０及び貯湯装置１６０を制御するための信号を各装置に送信する。送信部２２０は、負荷１２０を制御するための制御信号を負荷１２０に送信する。
【００８２】
例えば、第１実施形態では、送信部２２０は、所定プロトコルに準拠するネットワーク（無線回線４２１）を介して、蓄電池装置１４０の動作を示すコマンドを送信する。或いは、送信部２２０は、所定プロトコルに準拠するネットワーク（無線回線４２１）を介して、蓄電池装置１４０の運転モードを示すコマンドを送信する。
【００８３】
第１実施形態において、送信部２２０は、所定プロトコルに準拠するネットワーク（無線回線４２１）を介して、蓄電池装置１４０を識別する識別情報を要求する識別情報要求メッセージを送信する。
【００８４】
制御部２３０は、負荷１２０、ＰＶ装置１３０、蓄電池装置１４０、燃料電池装置１５０及び貯湯装置１６０を制御する。
【００８５】
具体的には、制御部２３０は、所定プロトコルに準拠するネットワークにおいて、蓄電池装置１４０の識別情報に基づいて、蓄電池装置１４０を管理する。詳細には、制御部２３０は、蓄電池装置１４０の種別を蓄電池装置１４０の識別情報と対応付けて管理する。さらに、制御部２３０は、蓄電池装置１４０の種別及び蓄電池装置１４０の識別情報を、蓄電池装置１４０に割当てられる動的アドレス（例えば、ローカルＩＰアドレス）と対応付けて管理することが好ましい。また制御部２３０は、識別情報にメーカーコードあるいは設計者によって定義されるインタフェース（インタフェース４１２）の有無、といった情報が含まれている可能性が有るため、これを抽出する。これらの情報が抽出された場合、制御部２３０は蓄電池装置１４０の種別の情報に含めて管理する。
【００８６】
第１実施形態において、制御部２３０は、ＥＭＳ２００に新たに接続された蓄電池装置１４０の検出に応じて表示すべき設定画面（以下、初期設定画面）の表示制御を行う。ここで、制御部２３０は、インタフェース４１２を介して蓄電池装置１４０が接続されることによって、新たに接続された蓄電池装置１４０を検出する。
【００８７】
初期設定画面は、蓄電池装置１４０を識別する識別情報をＥＭＳ２００に登録するための画面であり、蓄電池装置１４０の識別情報を確認するための画像を含む。
【００８８】
ここで、制御部２３０は、識別情報要求メーセージの送信によって蓄電池装置１４０の識別情報を取得して、蓄電池装置１４０の識別情報を自動的に表示するように、初期設定画面の表示制御を行ってもよい。或いは、制御部２３０は、蓄電池装置１４０の識別情報の入力を促す画像を含むように、初期設定画面の表示制御を行ってもよい。
【００８９】
このようなケースにおいて、初期設定画面の表示制御とは、上述したユーザ端末３００上に初期設定画面を表示することを含む。或いは、初期設定画面の表示制御とは、ＥＭＳ２００にディスプレイが設けられている場合には、ディスプレイ上に初期設定画面を表示することを含む。
【００９０】
第１実施形態において、制御部２３０は、蓄電池装置１４０の設定を行うための設定画面の表示制御を行う。設定画面は、所定プロトコルに準拠するネットワークを介して蓄電池装置１４０と通信を行うことが可能である場合に、所定ネットワークを介して送信されるコマンドによって設定可能な第１項目を含む。
【００９１】
第１項目は、例えば、上述した運転モードを指定するための項目である。ここで、第１項目は、設計者によって定義されるインタフェース（インタフェース４１２）を介して送信されるコマンドである第２項目とは異なる。第２項目は、例えば、蓄電池装置１４０の具体的な動作（充電又は放電など）を指定するための項目である。また、識別情報によってメーカーコードが抽出された場合には、対応するメーカー名を第１項目の一つとして表示してもよい。
【００９２】
ここで、第１項目は、設計者によって定義されるインタフェース（インタフェース４１２）を介して送信される複数のコマンドの組合せによって設定可能な項目である。組合せとは、時間軸上において充電及び放電を切り替えることを意味する。或いは、他の機器（負荷１２０、ＰＶ装置１３０、燃料電池装置１５０又は貯湯装置１６０）の状態に応じて、充電及び放電を切り替えることを意味する。つまりこの例において、第１項目はモードの指示、第２項目は具体的な単一の動作指示である。
【００９３】
設定画面は、所定プロトコルに準拠するネットワークを介して蓄電池装置１４０と通信を行うことが可能である場合（つまりＥＣＨＯＮＥＴ  Ｌｉｔｅに対応している場合）に、第１項目及び第２項目の双方を含んでもよい。このようなケースにおいて、制御部２３０は、第１項目に対応する項目を第２項目から省略するように、設定画面の表示制御を行うことが好ましい。また、ＥＣＨＯＮＥＴ  Ｌｉｔｅに対応していない場合には、第２項目だけが設定画面に含まれる。
【００９４】
さらに、識別情報からメーカーコードが抽出され、蓄電池装置１４０が制御部２３０にてＥＣＨＯＮＥＴ  Ｌｉｔｅに対応していると判断可能なメーカーのものであると判定される場合には、第1項目と第2項目との双方を表示するよう制御する。また、コマンド体系を把握しているメーカーの者であると判断される場合には、より詳細な情報を第1項目に含めてもよい。
【００９５】
ここで、設定画面の表示制御とは、上述したユーザ端末３００上に設定画面を表示することを含む。或いは、設定画面の表示制御とは、ＥＭＳ２００にディスプレイが設けられている場合には、ディスプレイ上に設定画面を表示することを含む。
【００９６】
初期設定画面又は設定画面は、ユーザ端末３２０が有するウェブブラウザによって表示されてもよい。このようなケースでは、制御部２３０は、初期設定画面又は設定画面をＨＴＭＬ等の形式に変換して、変換されたデータをユーザ端末３２０に送信する。或いは、初期設定画面又は設定画面は、ユーザ端末３２０が有するアプリケーションによって表示されてもよい。このようなケースでは、制御部２３０は、初期設定画面又は設定画面を構成するために必要なデータをユーザ端末３２０に送信し、ユーザ端末３２０が有するアプリケーションは、初期設定画面又は設定画面を生成する。
【００９７】
（蓄電池装置の構成）
以下において、第１実施形態に係る蓄電池装置について説明する。図６は、第１実施形態に係る蓄電池装置１４０を示すブロック図である。
【００９８】
図６に示すように、蓄電池装置１４０は、受信部１４５と、送信部１４６と、制御部１４７とを有する。第１実施形態では、受信部１４５、送信部１４６及び制御部１４７は、ＰＣＳ１４２に設けられる。
【００９９】
受信部１４５は、ＥＭＳ２００から各種情報を受信する。受信部１４５は、設計者によって定義されるインタフェース（インタフェース４１１）を介して、ＰＶ装置１３０のステータスを示す情報を受信する。
【０１００】
第１実施形態において、受信部１４５は、所定プロトコルに準拠するネットワーク（無線回線４２１）を介して、蓄電池装置１４０を識別する識別情報を要求する識別情報要求メッセージを受信する。
【０１０１】
送信部１４６は、ＥＭＳ２００から各種情報を送信する。例えば、送信部１４６は、設計者によって定義されるインタフェース（インタフェース４１２）を介して、ＰＶ装置１３０及び蓄電池装置１４０のステータスを示す情報を送信する。
【０１０２】
第１実施形態において、送信部１４６は、所定プロトコルに準拠するネットワーク（無線回線４２１）を介して、蓄電池装置１４０の種別を示す種別メッセージ（以下、インスタンスリスト）を送信する。具体的には、送信部１４６は、所定トリガに応じて、インスタンスリストを送信する。ここで、所定トリガは、蓄電池装置１４０の電源が投入されること、蓄電池装置１４０に割当てられる動的アドレスが変更されることなどである。送信部１４６は、所定期間に亘って繰り返してインスタンスリストを送信することが好ましい。
【０１０３】
送信部１４６は、所定プロトコルに準拠するネットワーク（無線回線４２１）を介して、蓄電池装置１４０を識別する識別情報を含む識別情報通知メッセージを送信する。送信部１４６は、識別情報要求メッセージに応じて、識別情報通知メッセージを送信する。
【０１０４】
制御部１４７は、蓄電池装置１４０を制御する。具体的には、制御部１４７は、ユーザによって入力されたコマンドに基づいてＰＣＳ１４２を制御する。或いは、制御部１４７は、ＥＭＳ２００からＰＣＳ１４２が受信するコマンドに基づいてＰＣＳ１４２を制御する。
【０１０５】
（画面の構成例）
以下において、第１実施形態に係る画面の構成例について説明する。図７〜図９は、第１実施形態の画面の構成例を示す図である。
【０１０６】
第１に、初期設定画面の構成例について、図７を参照しながら説明する。図７に示すように、初期設定画面は、所定プロトコル（ここでは、ＥＣＨＯＮＥＴ  Ｌｉｔｅ）に準拠するネットワークを利用するか否かのチェックボックスと、蓄電池装置１４０の識別情報を確認するための画像とを含む。
【０１０７】
蓄電池装置１４０の識別情報を確認するための画像として、蓄電池装置１４０の識別情報が自動的に表示されてもよい。或いは、蓄電池装置１４０の識別情報を確認するための画像として、蓄電池装置１４０の識別情報の入力を促す画像が表示されてもよい。
【０１０８】
第２に、所定プロトコル（ここでは、ＥＣＨＯＮＥＴ  Ｌｉｔｅ）を利用しないケースにおける設定画面の構成例について、図８を参照しながら説明する。図８に示すように、設定画面は、設計者によって定義されるインタフェース（インタフェース４１２）を介して送信されるコマンドによって設定可能な第２項目を含む。
【０１０９】
第２項目は、蓄電池装置１４０を設定するための項目（蓄電池装置設定）および具体的な動作指示（電源ｏｎ／ｏｆｆ指示等）のための項目の他、例えば、電流計１８０、電流計１８１及び電流計１８２などを設定するための項目（スマートセンサ設定）、ＰＶ装置１３０を設定するための項目（ＰＶ装置設定）、ＩＰアドレスを設定するための項目（ＩＰ設定）、無線ＬＡＮを設定するための項目（ＷＬＡＮ設定）などを含む。第２項目は、燃料電池装置１５０を設定するための項目、貯湯装置１６０を設定するための項目をさらに含んでもよい。
【０１１０】
第３に、所定プロトコル（ここでは、ＥＣＨＯＮＥＴ  Ｌｉｔｅ）を利用するケースにおける設定画面の構成例について、図９を参照しながら説明する。図９に示すように、設定画面は、第１項目と第２項目とを含む。第１項目は、所定プロトコルに準拠するネットワークを介して送信されるコマンドによって設定可能な項目であり、この例においてはＥＣＨＯＮＥＴ  Ｌｉｔｅに対応する場合に使用可能な項目となる。また、上述の識別情報に含まれるメーカーコードの取得によっても表示する項目を変更してもよい。また、第２項目は、設計者によって定義されるインタフェース（インタフェース４１２）を介して送信されるコマンドによって指示可能な項目であり、単純な動作指示（電源ｏｎ／ｏｆｆ指示等）である。
【０１１１】
具体的には、第１項目には、例えば、蓄電池装置１４０の運転モードを指定するための項目（モード設定）が含まれる。設計者によって定義されるインタフェース（インタフェース４１２）を介して送信される複数のコマンドの組合せによって設定可能な項目である。言い換えると、第１項目は、第２項目よりも高度なコマンド指示機能を有する点で第２項目とは異なっている。もちろん第１項目には第２項目で指示可能な項目が含まれていてもよい。
【０１１２】
このようなケースにおいて、第１項目と第２項目とが同時に表示されることとなるため、第１項目に第２項目と重複する項目（蓄電池装置設定）が含まれる場合には、第２項目から重複する項目については省略されることに留意すべきである。
【０１１３】
（管理方法）
以下において、第１実施形態に係る管理方法について説明する。図１０〜図１１は、第１実施形態の管理方法を示すシーケンス図である。図１０〜図１１では、所定プロトコルを利用するケースにおけるシーケンスが示されている。
【０１１４】
第１に、初期設定画面の表示について、図１０を参照しながら説明する。図１０に示すように、ステップ１０において、蓄電池装置１４０が設置される。
【０１１５】
ステップ２０において、ＥＭＳ２００は、ＥＭＳ２００に新たに接続された蓄電池装置１４０を検出する。一例としては、ＥＭＳ２００は、インタフェース４１２を介して蓄電池装置１４０が接続されたことによって、新たに接続された蓄電池装置１４０を検出する。
【０１１６】
ステップ３０において、ＥＭＳ２００は、蓄電池装置１４０を識別する識別情報を要求する識別情報要求メッセージを同報送信で送信する。同報送信は、ブロードキャストであってもよく、マルチキャストであってもよい。また、インタフェース４１２を介して蓄電池装置１４０が接続されないような場合を想定し、ＥＭＳ２００が自発的かつ定期的に識別情報要求メッセージを同報送信で送信するよう構成してもよい。
【０１１７】
ステップ４０において、蓄電池装置１４０は、識別情報要求メッセージの送信元アドレスに基づいて、ＥＭＳ２００の動的アドレス（例えば、ローカルＩＰアドレス）を取得する。続いて、蓄電池装置１４０は、蓄電池装置１４０を識別する識別情報を含む識別情報通知メッセージをＥＭＳ２００に送信する。ここで、蓄電池装置１４０は、ＥＭＳ２００の動的アドレスを用いて、識別情報通知メッセージをＥＭＳ２００にユニキャストで送信する。
【０１１８】
ここで、蓄電池装置１４０が所定プロトコルに準拠していれば、ステップ４０で識別情報通知メッセージが蓄電池装置１４０から送信される。一方で、蓄電池装置１４０が所定プロトコルに準拠していなければ、ステップ４０で識別情報通知メッセージが蓄電池装置１４０から送信されない。
【０１１９】
ステップ５０において、ＥＭＳ２００は、初期設定画面をユーザ端末３００上に表示するためのデータを含む初期設定画面メッセージをユーザ端末３００に送信する。
【０１２０】
ここで、識別情報通知メッセージを受信することができた場合には、初期設定画面メッセージは、蓄電池装置１４０の識別情報を含む。一方で、識別情報通知メッセージを受信することができなかった場合には、初期設定画面メッセージは、蓄電池装置１４０の識別情報の入力を促す画像を表示するためのデータを含む。
【０１２１】
ステップ６０において、ユーザ端末３００は、初期設定画面メッセージに応じて、初期設定画面を表示する。
【０１２２】
ステップ７０において、ユーザ端末３００は、所定プロトコルを利用するか否かを示す情報及び蓄電池装置１４０を識別するための識別情報を含む初期設定メッセージをＥＭＳ２００に送信する。
【０１２３】
ステップ８０において、ＥＭＳ２００は、ＥＭＳ２００は、蓄電池装置１４０の識別情報に基づいて、蓄電池装置１４０の種別を管理する。ＥＭＳ２００は、識別情報通知メッセージを受信することができた場合には、蓄電池装置１４０の種別及び蓄電池装置１４０の識別情報を、蓄電池装置１４０に割当てられる動的アドレス（例えば、ローカルＩＰアドレス）と対応付けて管理してもよい。
【０１２４】
第２に、設定画面の表示について、図１１を参照しながら説明する。図１１では、所定プロトコルを利用するケースについて説明する。具体的には、設定画面を用いて蓄電池装置１４０の運転モードが指定されるケースについて説明する。
【０１２５】
図１１に示すように、ステップ１１０において、ユーザ端末３００は、設定画面を表示するためのデータを要求する設定画面要求メッセージをＥＭＳ２００に送信する。
【０１２６】
ステップ１２０において、ＥＭＳ２００は、設定画面をユーザ端末３００上に表示するためのデータを含む設定画面メッセージをユーザ端末３００に送信する。ここでは、ＥＭＳ２００は、図９に示す設定画面を表示するためのデータを含む設定画面メッセージをユーザ端末３００に送信する。
【０１２７】
ここで、ユーザ端末３００が有するアプリケーションが設定画面を表示するためのデータを既に取得している場合には、ステップ１１０及びステップ１２０の処理は省略されてもよい。
【０１２８】
ステップ１３０において、ユーザ端末３００は、設定画面メッセージに応じて、設定画面を表示する。
【０１２９】
ステップ１４０において、ユーザ端末３００は、蓄電池装置１４０の運転モードを指定する項目を含む設定メッセージをＥＭＳ２００に送信する。
【０１３０】
ステップ１５０において、ＥＭＳ２００は、蓄電池装置１４０を識別する識別情報を要求する識別情報要求メッセージを同報送信で送信する。同報送信は、ブロードキャストであってもよく、マルチキャストであってもよい。
【０１３１】
ステップ１６０において、蓄電池装置１４０は、識別情報要求メッセージの送信元アドレスに基づいて、ＥＭＳ２００の動的アドレス（例えば、ローカルＩＰアドレス）を取得する。続いて、蓄電池装置１４０は、蓄電池装置１４０を識別する識別情報を含む識別情報通知メッセージをＥＭＳ２００に送信する。ここで、蓄電池装置１４０は、ＥＭＳ２００の動的アドレスを用いて、識別情報通知メッセージをＥＭＳ２００にユニキャストで送信する。
【０１３２】
ステップ１７０において、ＥＭＳ２００は、蓄電池装置１４０を認識する。具体的には、ＥＭＳ２００は、蓄電池装置１４０の識別情報に基づいて、蓄電池装置１４０の種別を特定する。ＥＭＳ２００は、蓄電池装置１４０の種別及び蓄電池装置１４０の識別情報を、蓄電池装置１４０に割当てられる動的アドレス（例えば、ローカルＩＰアドレス）と対応付けて管理する。
【０１３３】
ここで、蓄電池装置１４０に割当てられた最新の動的アドレスをＥＭＳ２００が既に取得している場合には、ステップ１５０〜ステップ１７０の処理は省略されてもよい。
【０１３４】
ステップ１８０において、ＥＭＳ２００は、蓄電池装置１４０の運転モードを指示するコマンドを含むモード指示メッセージを蓄電池装置１４０に送信する。
【０１３５】
以上説明したように、第１実施形態では、ＥＭＳ２００は、ＥＭＳ２００に新たに接続された蓄電池装置１４０の検出に応じて、蓄電池装置１４０の識別情報を確認するための画像を含む初期設定画面を表示する。これによって、動的アドレスとは別に定義される不変の情報である識別情報に基づいて蓄電池装置１４０を管理することができる。従って、蓄電池装置１４０に割り当てられる動的アドレス（例えば、ローカルＩＰアドレス）が変更される可能性が存在する場合であっても、蓄電池装置１４０を適切に管理することができる。
【０１３６】
第１実施形態では、ＥＭＳ２００は、所定プロトコルに準拠するネットワークを介して蓄電池装置１４０と通信を行うことが可能である場合に、所定プロトコルに準拠するネットワークを介して送信されるコマンドによって設定可能な第１項目を含む設定画面の表示制御を行う。これによって、所定ネットワークを介して蓄電池装置１４０と通信を行うことが可能であるか否かに応じて、適切な設定画面を表示することができる。
【０１３７】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１３８】
ＥＭＳ２００は、ＨＥＭＳ（Ｈｏｍｅ  Ｅｎｅｒｇｙ  Ｍａｎａｇｅｍｅｎｔ  Ｓｙｓｔｅｍ）であってもよく、ＳＥＭＳ（Ｓｔｏｒｅ  Ｅｎｅｒｇｙ  Ｍａｎａｇｅｍｅｎｔ  Ｓｙｓｔｅｍ）であってもよく、ＢＥＭＳ（Ｂｕｉｌｄｉｎｇ  Ｅｎｅｒｇｙ  Ｍａｎａｇｅｍｅｎｔ  Ｓｙｓｔｅｍ）であってもよく、ＦＥＭＳ（Ｆａｃｔｏｒｙ  Ｅｎｅｒｇｙ  Ｍａｎａｇｅｍｅｎｔ  Ｓｙｓｔｅｍ）であってもよい。
【０１３９】
実施形態では、機器の一例として、蓄電池装置１４０を例に挙げた。しかしながら、実施形態は、これに限定されるものではない。機器は、ＰＶ装置１３０及び燃料電池装置１５０などの分散電源であってもよい。或いは、機器は、冷蔵庫、冷凍庫、照明、エアーコンディショナーなどの負荷１２０であってもよい。或いは、機器は、貯湯装置１６０であってもよい。
【０１４０】
実施形態では特に触れていないが、ＥＭＳ２００が有する構成は、複数の機器のいずれかに設けられていてもよい。
【０１４１】
上述した実施形態では特に触れていないが、ＥＭＳ２００が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１４２】
或いは、ＥＭＳ２００が行う各処理を実行するためのプログラムを記憶するメモリ及びメモリに記憶されたプログラムを実行するプロセッサによって構成されるチップが提供されてもよい。ＥＭＳ２００が行う各処理を実行するためのプログラムを記憶するメモリ及びメモリに記憶されたプログラムを実行する通信処理デバイスが提供されてもよい。
【符号の説明】
【０１４３】
１０…需要家、２０…ＣＥＭＳ、３０…変電所、３１…配電線、４０…スマートサーバ、５０…発電所、５１…送電線、６０…ネットワーク、１００…エネルギー管理システム、１１０…分電盤、１２０…負荷、１３０…ＰＶ装置、１３１…ＰＶ、１３２…ＰＣＳ、１４０…蓄電池装置、１４１…蓄電池、１４２…ＰＣＳ、１４５…受信部、１４６…送信部、１４７…制御部、１５０…燃料電池装置、１５１…燃料電池、１５２…ＰＣＳ、１６０…貯湯装置、１７０…給湯装置、１８０、１８１、１８２…電流計、２００…ＥＭＳ、２１０…受信部、２２０…送信部、２３０…制御部、３００、３１０、３２０、３３０、３４０…ユーザ端末、４１１、４１２…インタフェース、４２１、４２２…無線回線、４３１、４３２…有線ケーブル、５００…ルータ
【図１】
2014072590.tif 000003
【図２】
2014072590.tif 000004
【図３】
2014072590.tif 000005
【図４】
2014072590.tif 000006
【図５】
2014072590.tif 000007
【図６】
2014072590.tif 000008
【図７】
2014072590.tif 000009
【図８】
2014072590.tif 000010
【図９】
2014072590.tif 000011
【図１０】
2014072590.tif 000012
【図１１】
2014072590.tif 000013